(57)【要約】【課題】内容物の注出時に注出流量を過小にすることなく、どっと出を防止し、かつ内容液の詰め替え時の注入流量を大きくすること。【解決手段】容器１０において、容器本体１１に設けられるキャップ２０に内筒２３を設け、内筒２３を容器本体１１の内壁面に沿って該容器本体１１の内部の側に張り出る側壁部４２と、側壁部４２の張り出し端を塞ぐ底部４３とを有し、内筒２３の底部４３に、側壁部４２に沿う帯状の湾曲流通口４４を開口し、流通口４４の湾曲に沿う中央部を底部４３の注ぎ出し側寄りに位置付けたもの。【選択図】  図１
2004210354.tif 000002
【特許請求の範囲】
【請求項１】
容器本体に設けられるキャップに内筒を設け、該内筒は該容器本体の内壁面に沿って該容器本体の内部の側に張り出る側壁部と、該側壁部の張り出し端を塞ぐ底部とを有し、
該内筒の該底部に、該側壁部に沿う帯状の湾曲流通口を開口し、該流通口の湾曲に沿う中央部を該底部の注ぎ出し側寄りに位置付けた容器。
【請求項２】
前記キャップが前記内筒の流通口に連通して前記容器本体の外部の側に延びる注出筒を有し、
該内筒の前記底部に備える湾曲流通口を、該注出筒の内周面の注ぎ出し側寄りの半周以上に渡って延在させた請求項１に記載の容器。
【発明の詳細な説明】
【０００１】
【発明の属する技術分野】
本発明は液体や粉体のための容器に関する。
【０００２】
【従来の技術】
特許文献１に記載の如く、容器本体に設けられるキャップが、容器本体の内部の側に張り出る内筒に流通口を設け、該内筒の流通口に連通して容器本体の外部の側に延びる注出筒を有するものがある。
【０００３】
【特許文献１】
特開２０００−１０３４４４（図１、［００１９］）
【発明が解決しようとする課題】
従来の容器では、液注出時に、粘度の低い内容液が一度にどっと出ることを防止するため、流通口の開口面積を小さくすると、注出液量が過小になるおそれがあるし、内容液の詰め替え時における詰め替え液の注入流量も過小になる。
【０００４】
特許文献１の容器では、内容液の詰め替え時に、内筒及び注出筒を取外し、詰め替え液の注入開口を広くしているが、その取外しに手間を要して使い勝手が悪い。
【０００５】
本発明の課題は、内容物の注出時に注出流量を過小にすることなく、どっと出を防止し、かつ内容液の詰め替え時の注入流量を大きくすることにある。
【０００６】
【課題を解決するための手段】
請求項１の発明は、容器本体に設けられるキャップに内筒を設け、該内筒は該容器本体の内壁面に沿って該容器本体の内部の側に張り出る側壁部と、該側壁部の張り出し端を塞ぐ底部とを有し、該内筒の該底部に、該側壁部に沿う帯状の湾曲流通口を開口し、該流通口の湾曲に沿う中央部を該底部の注ぎ出し側寄りに位置付けた容器である。
【０００７】
【発明の実施の形態】
（第１実施形態）（図１、図２）
洗剤容器等の容器１０は、図１に示す如く、容器本体１１にキャップ２０を被着したものである。キャップ２０は、容器本体１１の円形断面状（角形断面状でも可）の開口部１２に嵌着（又は螺着）等により取着されるキャップ本体２１と、キャップ本体２１に螺着（又は嵌着）等により着脱されるカバーキャップ２２を有する。カバーキャップ２２は、キャップ本体２１から注出される内容液を受けて計量する計量カップとして用いる。
【０００８】
キャップ２０は、キャップ本体２１の容器本体１１に取着される側（内側）に内筒２３を嵌着し、キャップ本体２１にカバーキャップ２２を被着した組立体とした形態で、内容液を充填した容器本体１１に被着して用いられる。
【０００９】
キャップ本体２１は、容器本体１１の開口部１２に取着される円形断面状（角形断面状でも可）の外筒部３１と、外筒部３１の上端部を塞ぐ天面部３２と、天面部３２の内周に続く円形断面状（角形断面状でも可）の内筒部３３と、天面部３２の上面に設けられてカバーキャップ２２が螺着されるねじ部３４と、内筒部３３に連設し、キャップ本体２１の内外を仕切る仕切り部３５と、仕切り部３５の略中央から内筒部３３に対する略同軸をなし、容器本体１１の外部の側に向けて上方に延びる円形断面状（角形断面状でも可）の注出筒３６を有する。
【００１０】
キャップ本体２１は、仕切り部３５に内容液を出し入れするための円形状（角形状でも可）の流通口３７を備える。注出筒３６は、流通口３７から取入れた内容液を案内して注出筒３６の上端の注ぎ口３６Ａから注ぎ出す。キャップ本体２１は、内筒部３３と注出筒３６の間の仕切り部３５上に環状の液回収部３８を形成し、注出筒３６の反注ぎ出し側に、該注出筒３６の液戻しスリット３９Ａと液回収部３８の液戻し口３９Ｂを互いに連続するように開設している。
【００１１】
内筒２３は、キャップ本体２１の外筒部３１と天面部３２と内筒部３３が囲む環状凹部に嵌合される円環状（角環状でも可）のフランジ部４１を有し、フランジ部４１の逆Ｕ字状断面がなす下向き凹部を容器本体１１の開口部１２の上縁部に嵌着し、フランジ部４１の逆Ｕ字状断面の内周壁に連続する円形断面状（角形断面状でも可）の側壁部４２を有する。内筒２３は、側壁部４２を容器本体１１の開口部１２の内壁面に沿わせて容器本体１１の内部の側に張り出るように下方に延ばし、側壁部４２の張り出し端に該側壁部４２を塞ぐ円形状（角形状でも可）の底部４３を設ける。
【００１２】
しかるに、キャップ２０は、内筒２３の底部４３に、図２（Ａ）に示す如く、底部４３の中心部まわりで側壁部４２に沿う帯状の湾曲流通口４４を開口し、流通口４４の湾曲に沿う中央部（底部４３の中心まわりの周方向における流通口４４の湾曲長範囲の中央部）を底部４３の注ぎ出し側寄りに位置付ける。流通口４４は、底部４３の側壁部４２に交差する外縁に接して延在される。
【００１３】
流通口４４は、注出筒３６の下端内周面（流通口３７）の注ぎ出し側寄りの半周以上に沿って延在する。流通口３７の開口面積は、流通口４４の開口面積より大きい。
【００１４】
本発明において、「注ぎ出し側」とは、容器１０を注ぎ出しのために前傾する際の前側をいい、キャップ２０の中心軸Ａに対して注出筒３６の尖り状注ぎ口３６Ａの最上端Ｂが位置する側をいう。
【００１５】
本実施形態によれば以下の作用がある。
（請求項１に対応する作用）
▲１▼液注出時に、容器本体１１を注ぎ出し側に向けて前傾させたとき、キャップ２０の内筒２３の底部４３に開口させた流通口４４の湾曲に沿うほぼ中央部が、内容液の流れが集まる該底部４３の注ぎ出し側寄りに位置するものとなり、流通口４４の湾曲に沿う中央部側を湾曲状の液注出領域、その両端側を空気置換領域とする。従って、液注出領域に一定以上の開口面積を確保して注出流量を過小にすることがないし、湾曲状の液注出領域の鉛直上側の底部４３が液面側の流れを一部堰き止めてどっと出を防止し、安心して注出できる。
【００１６】
▲２▼液詰め替え時には、流通口４４の湾曲に沿うほぼ全域を液注入領域とし、広い注入領域を確保し、詰め替え時の注入流量を大きくできる。詰め替え容器から容器１０への詰め替え液の注入のスムースを図り、詰め替え液が容器１０の流通口４４から溢れて周辺汚損する等がなく、安心して注入でき、詰め替えの迅速を図ることができる。
【００１７】
（請求項２に対応する作用）
▲３▼湾曲流通口４４を注出筒３６の内周面の注ぎ出し側寄りの半周以上に渡って延在させた。従って、上述▲１▼の液注出時に、湾曲状の液注出領域と、その両端側の空気置換領域のそれぞれを安定確実に形成し、注出性の向上を図ることができる。また、上述▲２▼の液詰め替え時に、広い注入領域を安定確実に形成し、注入性の向上を図ることができる。
【００１８】
本発明者の実験結果によれば、内筒２３の底部４３に湾曲流通口４４を設けた図２（Ａ）の本発明例では、容器１０の前傾角１０度、２０度のときの注出流量がそれぞれ７１ｍＬ／１０ｓｅｃ、８４ｍＬ／１０ｓｅｃで、どっと出を生じないこと、詰め替え液の注入流量が１６６ｍＬ／１０ｓｅｃであることを認めた。これに対し、内筒２３の底部４３に半月状流通口４４を設けた図２（Ｂ）の比較例では、詰め替え液の注入流量は１８１ｍＬ／１０ｓｅｃを確保できるが、容器１０の前傾角１０度、２０度のときの注出流量がそれぞれ１９ｍＬ／１０ｓｅｃ、４１ｍＬ／１０ｓｅｃの如くに過小にあることを認めた。
【００１９】
（第２実施形態）（図３、図４）
第２実施形態の容器５０が第１実施形態の容器１０と異なる点は、図３に示す如く、容器１０のキャップ２０における内筒２３を撤去し、キャップ２０のキャップ本体２１を構成している内筒部３３及び仕切り部３５の部分を、本発明の内筒５１としたことにある。
【００２０】
内筒５１は、キャップ本体２１の内筒部３３及び仕切り部３５の部分を側壁部５２とすることにより、側壁部５２を容器本体１１の開口部１２の内壁面に沿わせて容器本体１１の内部の側に張り出るように下方に延ばし、側壁部５２の注出筒３６を立設せしめる張り出し端に側壁部５２及び注出筒３６を塞ぐ円形状（角形状でも可）の底部５３を設ける。
【００２１】
そして、キャップ２０は、内筒５１の底部５３に、図４に示す如く、側壁部５２に沿う帯状の湾曲流通口５４を開口し、流通口５４の湾曲に沿う中央部（底部５３の中心まわりの周方向における流通口５４の湾曲長範囲の中央部）を底部５３の注ぎ出し側寄りに位置付けた。流通口５４は、底部５３の側壁部５２に交差する外縁、本実施形態では注出筒３６の下端内周面に接して延在される。
【００２２】
流通口５４は、注出筒３６の下端内周面の注ぎ出し側寄りの半周以上に渡って延在する。
本実施形態によれば、第１実施形態におけると同様の作用効果がある。
【００２３】
【発明の効果】
本発明によれば、内容物の注出時に注出流量を過小にすることなく、どっと出を防止し、かつ内容液の詰め替え時の注入流量を大きくすることができる。
【図面の簡単な説明】
【図１】図１は第１実施形態の容器を示す要部断面図である。
【図２】図２は内筒の底部に開口した流通口を示し、（Ａ）は本発明例を示す模式図、（Ｂ）は比較例を示す模式図である。
【図３】図３は第２実施形態の容器を示す要部断面図である。
【図４】図４は内筒の底部に開口した流通口を示す模式図である。
【符号の説明】
１０、５０  容器
１１  容器本体
２０  キャップ
２３、５１  内筒
３６  注出筒
４２、５２  側壁部
４３、５３  底部
４４、５４  湾曲流通口
【図１】
2004210354.tif 000003
【図２】
2004210354.tif 000004
【図３】
2004210354.tif 000005
【図４】
2004210354.tif 000006